(57)【要約】      （修正有）【課題】簡単にかつ正確に小節やチチワを作成することができるとともに、長さが短く設定されるハリスであっても正確かつ簡単に８の字結びのチチワ結びや小節結びをすることができるハリス用メジャーを提供する。【解決手段】釣り針５を一端に接続したハリス７の他端に結び目を作成するハリス用メジャーにおいて、複数個の針引掛部６を備えた目盛付きのメジャー板２と、そのメジャー板に対して移動自在に取り付けたスライド体３と、スライド体のスライド方向に対して直交してスライド体に立設し、先端の掛止部にハリスを掛止するハリス掛止杆１０と、ハリス掛止杆に掛止したハリスを仮固定するハリス仮固定具１３と、メジャー板と別部材からなり、ハリスを巻き付けてハリス仮固定具とハリス掛止杆とを覆うことができる円筒部２０ａを備えるハリスねじり部材２０を備える。【選択図】図１
0003160914.tif 000002
【実用新案登録請求の範囲】
【請求項１】
釣り針を一端に接続したハリスの他端に結び目を作成するハリス用メジャーにおいて、
複数個の針引掛部を備えた目盛付きのメジャー板と、
そのメジャー板に対して移動自在に取り付けたスライド体と、
前記スライド体の移動方向に対して直交して前記スライド体に立設し、先端にハリスを掛止するハリス掛止部と、
該ハリス掛止部に掛止したハリスを仮固定するハリス仮固定具と、
前記メジャー体と別部材からなり、前記ハリスを仮固定する仮固定具とハリス掛止部とを覆う先端嵌合部及びハリスを巻き付ける柄部を備えるハリスねじり部材と、
を備えたことを特徴とするハリス用メジャー。
【請求項２】
ハリス掛止部は、先端にハリスを掛止する溝からなることを特徴とする請求項１記載のハリス用メジャー。
【請求項３】
ハリス仮固定具は、弾性を有する円筒状の合成樹脂材からなることを特徴とする請求項１記載のハリス用メジャー。
【考案の詳細な説明】
【技術分野】
【０００１】
本考案は、釣り針を取り付けたハリスの先端に、輪を作るチチワ（乳輪）結びや、小節（結び目）結びをするためのハリス用メジャーに係り、特に従来難しかった長さが短いハリスであっても、正確な長さで容易に８の字結びのチチワ結びや小節結びをすることができるハリス用メジャーに関するものである。
【背景技術】
【０００２】
従来、へら鮒釣において、釣り針を取り付けた同じ長さのハリスを予備として複数本作成することが行われている。そして、その釣り針に取り付けたハリスの先端に、ハリスを丸カンに結び付けるための輪のチチワを作成している。
そして、ハリスの一端に取り付けた針から所定の長さの箇所に小節やチチワを作成するために、各種のハリス用メジャーが案出されている。例えば、実開昭６２−１８０７０２号公報に記載、実開昭５５−９０９０１号公報、実開昭４８−１０７７８８号公報に記載されたもの等が存在している。
【０００３】
実開昭６２−１８０７０２号公報に記載されたハリス長さ規定具は、目盛が付いたスケールの先端に割れ目を形成し、そのスケールに複数個の副尺をスライド可能に取り付け、その副尺に固定用の押えねじを設けている。そして、スケールに対し副尺を所定の位置で固定した上で、その副尺に針を掛け、その針のハリスを割れ目で固定した上で、小節やチチワを作成するものである。（特許文献１参照）
また、実開昭５５−９０９０１号公報に記載されたハリス計測定規は、定規に対して複数個の針掛板とハリス掛針とをそれぞれスライド可能に取り付け、その針掛け板とハリス掛け針とに固定用の蝶ネジをそれぞれ設けたものである。そして、定規に対して針掛板とハリス掛針とをスライドさせて所定に固定した上で、針掛板に針を掛けて、針に付いたハリスをハリス掛針を用いて小節やチチワ等を作成するものである。（特許文献２参照）
さらに、実開昭４８−１０７７８８号公報に記載された釣針ハリス計測仕上器は、本体に複数個のピンホールを設け、そのピンホールに所定の間隔になるように２本のピンを差し込んで、一方のピンに針を掛けるとともに、その針に付いたハリスを他方のピンに引っ掛けながら小節やチチワ等を作成するものである。（特許文献３参照）
【先行技術文献】
【特許文献】
【０００４】
【特許文献１】実開昭５５−９０９０１号公報
【特許文献２】実開昭５５−９０９０１号公報
【特許文献３】実開昭４８−１０７７８８号公報
【考案の概要】
【考案が解決しようとする課題】
【０００５】
しかしながら、上述した何れのハリス長さ規定具にあっても、ハリスに小節結びを作ることは比較的容易にできるものの、チチワの輪の径を固定することができる、確実な結び方である８の字結びを作成するためには、指先を器用に使って作業する必要があり、そのためにはある程度の熟練が必要であった。
特に、ハリスの長さが例えば数センチメートルと短い場合には、作業する指先の太さが邪魔になって、チチワ結びを上手に行えないという問題があった。
【０００６】
本考案の目的は、このような実情に鑑みてなされたものであり、簡単にかつ正確に小節やチチワを作成することができるとともに、長さが短く設定されるハリスであっても正確かつ簡単に８の字結びのチチワ結びや小節結びをすることができるハリス用メジャーを提供しようとするものである。
【課題を解決するための手段】
【０００７】
本考案は、上記目的を達成するために、釣り針を一端に接続したハリスの他端に結び目を作成するハリス用メジャーにおいて、複数個の針引掛部を備えた目盛付きのメジャー板と、そのメジャー板に対して移動自在に取り付けたスライド体と、前記スライド体の移動方向に対して直交して前記スライド体に立設し、先端にハリスを掛止するハリス掛止部と、該ハリス掛止部に掛止したハリスを仮固定するハリス仮固定具と、前記メジャー体と別部材からなり、前記ハリスを仮固定する仮固定具とハリス掛止部とを覆う先端嵌合部及びハリスを巻き付ける柄部を備えるハリスねじり部材と、を備えたことを特徴とする。
【０００８】
また、ハリス掛止部は、先端にハリスを掛止する溝からなることを特徴とする。
【０００９】
また、ハリス仮固定具は、弾性を有する円筒状の合成樹脂材からなることを特徴とする。
【考案の効果】
【００１０】
以上、説明したように、本考案のハリス用メジャーによれば、長さが短く設定されるハリスであっても正確かつ簡単に８の字結びのチチワ結びや小節結びをすることができる。
【図面の簡単な説明】
【００１１】
【図１】本考案のハリス用メジャーの表側の斜視図である。
【図２】本考案のハリス用メジャーのハリス結び部にて小節結びを行う状態を示すである。
【図３】本考案のハリス用メジャーのハリス掛止杆を示す部分拡大図である。
【図４】本考案のハリス用メジャーのハリス結び部を示す部分拡大図である。
【図５】本考案のハリス用メジャーのハリス結び部にハリスを掛止した状態を示す図である。
【図６】本考案のハリス用メジャーのハリス結び部にて８の字結びのチチワ結びを行う状態を示す図である。
【図７】本考案のハリス用メジャーのハリス結び部にて８の字結びのチチワ結びを行う状態を示す図である。
【図８】本考案のハリス用メジャーのハリス結び部にて８の字結びのチチワ結びを行う状態を示す図である。
【図９】本考案のハリス用メジャーのハリス結び部にて８の字結びのチチワ結びを行う状態を示す図である。
【図１０】本考案のハリス用メジャーのハリス結び部にて８の字結びのチチワ結びを行う状態を示す図である。
【図１１】本考案のハリス用メジャーを用いて作成した８の字結びのチチワ結びを示す図である。
【考案を実施するための形態】
【００１２】
以下、添付図面を参照しながら、本考案のハリス用メジャーを実施するための形態を詳細に説明する。図１〜図１１は、本考案の実施の形態を例示する図であり、これらの図において、同一の符号を付した部分は同一物を表わし、基本的な構成及び動作は同様であるものとする。
【００１３】
図１は、ハリス用メジャー１の中途部分を省略した全体図を示し、ハリス用メジャー１の本体は、作成するハリスの長さに応じて設定される長さを備え、薄鋼板、合成樹脂板等からなる長径なメジャー板２と、メジャー板２の一方端にスライド体３をメジャー板２の長さ方向に移動自在に配設するハリス結び部４とから構成されている。
メジャー板２には、釣り針５を引っ掛けて固定するための針引掛透孔６が、上下２列に互い違いになるように市松模様状に穿設されている。この針引掛透孔６を１ｃｍ四方の正方形とすることにより、釣り針５を１ｃｍ間隔で位置を変えて引っ掛けることができ、これによりハリス７の長さを１ｃｍ単位で設定することができる。また、ハリス結び部４には、５ｍｍ四方の正方形からなる小さい針引掛透孔６を、１ｃｍ間隔で配設している。
これらの針引掛透孔６に対応する位置には、その針引掛透孔６に釣り針５を引っ掛けた場合の、後述する基準位置からのハリス７の寸法をセンチメートル単位で表す目盛を適宜表記している。
また、図１に示すハリス用メジャー１の裏面（図示せず）には、メジャー板２の先端の折り返し部２ａでハリス７を折り返して、釣り針５を裏面から針引掛透孔６に引っ掛けて使用できるように、表面の目盛を折り返し部２ａで折り返して連続する目盛を表記してもよい。
２０は、ハリス用メジャー１と一組にして使用される、８の字結びのチチワ結びを行う際に使用するハリスねじり部材である。
【００１４】
スライド体３は、ハリス結び部４に形成された長孔８を挟んで位置し、ネジ９を緩めることで長手方向に移動可能で、ネジ９を締めるとその位置に固定される。ハリス７の寸法を決める際のスライド体３の基準位置は、長孔８の所定位置に縦に基準線１１が表示されるとともに、長孔８から視認されるスライド体３部分に、前記基準線１１と合致されるためのマーク１２が表示されている。
スライド体３の上部には、ハリス掛止杆１０を立設し、その近傍に、後述するハリス仮固定具１３を着脱自在に係止するキャップ保持杆１４を立設している。ハリス仮固定具１３は、シリコンゴム等からなる弾性を有する合成樹脂製材料からなる円筒形状からなり、その内径はハリス掛止杆９の先端部１５に嵌合する寸法とする。
【００１５】
ハリス掛止杆１０は、図３に示すごとく、円柱の先端部１５を円錐台形状とし、更にその先端にハリス７を掛止することができる幅径と深さを有する溝からなる掛止部１６を設けている。そして、ハリス掛止杆１０は、ハリス７を掛止する際にハリス７を傷つけることがないように、銅、もしくは銅・亜鉛・スズ・ニッケルなどの何れかを含む合金、アルミニウム合金などのある程度軟質な材質から形成することが好適であり、また軟質な材料とすることにより、掛止部１６の形成等の加工が容易に行えるものである。
また、前記ハリスねじり部材２０にあっても、柄部の先端の円筒部２０ａについては、ハリス７が当接する部分であることから、前述同様にハリス７を傷つけることがないように銅、もしくは銅・亜鉛・スズ・ニッケルなどの何れかを含む合金、アルミニウム合金などのある程度軟質な材料から形成することが好適である。
【００１６】
このような構成からなる本実施例のハリス用メジャー１を用いて、ハリスの一方に、小節結びや、８の字結びのチチワ結びを作成するやり方について、以下に説明する。
まず、小節結びについては、従来のハリス用メジャーと同様であるが、図１に示すように、設定したい長さのハリスにするために、所望する寸法を示す目盛の針引掛透孔６に釣り針５を引っ掛ける。そして、ハリス７の開放端をハリス掛止杆１０に引っ掛けて、図２に示すようにハリス７を結ぶことにより、小節結びを作成することができる。
【００１７】
次に、８の字結びのチチワ結びについては、まず前述同様に、所望する寸法を示す目盛の針引掛透孔６に釣り針５を引っ掛けてハリスの長さを設定した上で、図４に示すように、ハリス７の開放端側をハリス掛止杆１０の掛止部１６に差し込む。そして、ハリス仮固定具１３をキャップ保持杆１４から取り外して、図５に示すように、ハリス７を掛止しているハリス掛止杆１０の先端部１５に嵌合させる。これにより、所望する長さに設定されたハリス７の先端が、ハリス掛止杆１０に仮固定される。
【００１８】
次に、スライド体３のネジ９を緩めて、ハリス７をねじるための弛みを持たせる。そして、図６に示すように、２本に揃えたハリス７にハリスねじり部材２０の円筒部２０ａを掛けて、矢印にて示すように図６の右から見て時計方向にハリスねじり部材２０を１回転させることにより、図７に示すようにハリス７に撚りをかける。
そして、図８に示すように、ハリス７を掛けたハリスねじり部材２０の円筒部２０ａを、図７に示すハリス仮固定具１３にてハリス７を掛止した状態のハリス掛止杆１０の先端に被せるように挿入する。
次に、ハリスねじり部材２０の円筒部２０ａに掛け回されているハリス７を、図９に示すように、ハリス掛止杆１０の先端部１５直下にずり降ろした後、ハリスねじり部材２０をハリス掛止杆１０から抜き取る。
【００１９】
そして、図９の矢印方向にハリス７を引っぱって結びを作った後、ハリス仮固定具１３をハリス掛止杆１０の先端部１５から取り去る。次に、図９に示すように、ハリス掛止杆１０の掛止部１６に掛止されているハリス７を取り外して、できあがったチチワ７ａを残して結びを堅くすることにより、図１１に示す８字結びのチチワ結びのハリスができあがるものである。このようにしてできあがった、チチワ７ａの輪が小さく長さの短いハリス７は、へら鮒釣のハリス１に最適である。
【００２０】
また、ハリスの長さが１５ｃｍ以上である場合には、上述したハリスねじり部材２０によるハリスをねじってハリス掛止杆１０に掛ける操作を、指先でも行うことができる。
なお、特に図示しないが、メジャー板２は、ハリスねじり部材２０を着脱自在に取り付けることができる構造としてもよいものである。
【００２１】
以上、本考案のハリス用メジャーについて、具体的な実施の形態を示して説明したが、本考案はこれらに限定されるものではない。当業者であれば、本考案の要旨を逸脱しない範囲内において、上記各実施形態におけるハリス用メジャーの構成及び機能に様々な変更・改良を加えることが可能である。
【産業上の利用可能性】
【００２２】
本考案のハリス用メジャーは、釣り用具を製造する産業において利用することができるものである。
【符号の説明】
【００２３】
１  ハリス用メジャー
２  メジャー板
２ａ  折り返し部
３  スライド体
４  ハリス結び部
５  釣り針
６  針引掛透孔
７  ハリス
８  長孔
９  ネジ
１０  ハリス掛止杆
１１  基準線
１２  マーク
１３  ハリス仮固定具
１４  キャップ保持杆
１５  先端部
１６  掛止部
２０  ハリスねじり部材
２０ａ  円筒部
【図１】
0003160914.tif 000003
【図２】
0003160914.tif 000004
【図３】
0003160914.tif 000005
【図４】
0003160914.tif 000006
【図５】
0003160914.tif 000007
【図６】
0003160914.tif 000008
【図７】
0003160914.tif 000009
【図８】
0003160914.tif 000010
【図９】
0003160914.tif 000011
【図１０】
0003160914.tif 000012
【図１１】
0003160914.tif 000013
【手続補正書】
【提出日】平成22年5月6日(2010.5.6)
【手続補正１】
【補正対象書類名】実用新案登録請求の範囲
【補正対象項目名】請求項１
【補正方法】変更
【補正の内容】
【請求項１】
釣り針を一端に接続したハリスの他端に結び目を作成するハリス用メジャーにおいて、
複数個の針引掛部を備えた目盛付きのメジャー板と、
そのメジャー板に対して移動自在に取り付けたスライド体と、
前記スライド体の移動方向に対して直交して前記スライド体に立設し、先端にハリスを掛止するハリス掛止部と、
該ハリス掛止部に掛止したハリスを仮固定するハリス仮固定具と、
前記メジャー板と別部材からなり、前記ハリスを仮固定する仮固定具とハリス掛止部とを覆う先端嵌合部及びハリスを巻き付ける柄部を備えるハリスねじり部材と、
を備えたことを特徴とするハリス用メジャー。
【手続補正２】
【補正対象書類名】明細書
【補正対象項目名】０００７
【補正方法】変更
【補正の内容】
【０００７】
本考案は、上記目的を達成するために、釣り針を一端に接続したハリスの他端に結び目を作成するハリス用メジャーにおいて、複数個の針引掛部を備えた目盛付きのメジャー板と、そのメジャー板に対して移動自在に取り付けたスライド体と、前記スライド体の移動方向に対して直交して前記スライド体に立設し、先端にハリスを掛止するハリス掛止部と、該ハリス掛止部に掛止したハリスを仮固定するハリス仮固定具と、前記メジャー板と別部材からなり、前記ハリスを仮固定する仮固定具とハリス掛止部とを覆う先端嵌合部及びハリスを巻き付ける柄部を備えるハリスねじり部材と、を備えたことを特徴とする。